Podtech/llm-jp-corpus-v4-ja_patent huggingface dataset:
(57)【要約】【課題】    温室の中で農作物を栽培するために受粉用にミツバチを使う場合、従来はミツバチ巣箱を温室の中に入れて使ってきた。ところが温室の中では食料が十分でないために給餌をしなければならないが、それだけでは栄養が偏り、ミツバチの消耗は避けられなかった。また、その給餌には費用と手間がかかった。  また、温室の中には、温室の中に用事のないミツバチも入って行き、出られず、その多くが死んでいた。【解決手段】  これを解決するためには、巣箱を温室の外に取り付け、ミツバチは自然界と温室の両方に行けるようにし、温室に花蜜と花粉を採る目的のあるミツバチだけが温室に入り、温室に用事のないミツバチは入らないようにすればよいのである。  本発明は、温室と巣箱をつなぐ通路であり、温室内に用事のあるミツバチだけが歩いて行くように設計した通路である。【選択図】図３
2010200741.tif 000002
【特許請求の範囲】
【請求項１】
温室栽培のイチゴやメロンなどの受粉用ミツバチの巣箱を温室の外に置き、ミツバチを温室内に通わせるのに、巣門から温室内まで一定の距離を歩かせるようにした筒状通路。
【発明の詳細な説明】
【技術分野】
【０００１】  本発明は温室栽培に必要な受粉用ミツバチに関わる装置である。
【背景技術】
【０００２】  イチゴやメロンなどを温室栽培する場合、受粉用にミツバチを導入する必要がある。従来、温室内にミツバチの巣箱を置き、受粉に役立ててきた。
【発明の開示】
【０００３】  普通、１つの温室内には１０匹のミツバチがいれば十分であると言われている。
【０００４】  ところが１箱内にいるミツバチの数は５千ないし２万匹であり、１つの温室の受粉用にはそれほどの数のミツバチは必要としないし、また、それほどのミツバチが１つの温室内にいては食料不足をきたす。
【０００５】  食料不足を防ぐために、温室内では砂糖水による給餌が行われるが、その砂糖の購入費用、それを作る手間と時間はかなりのものである。
【０００６】  ミツバチは砂糖水だけでは栄養が偏り、繁殖は困難である。それを避けるためにミツバチは温室の外に花蜜を求めて飛び出そうとするが、温室のビニールの天井にさえぎられるため多くが死亡し、蜂群は果実の収穫後までには消滅する場合が多い。
【０００７】  そのため、温室で働かせるミツバチからは全くハチミツを収穫することはできない。
【発明が解決しようとする課題】
これを解決するためには、ミツバチを必要な数だけ温室の中で働かせ、他の大部分のミツバチは温室の外、すなわち自然界で集蜜できるようにすればよいのである。
【課題を解決するための手段】
【０００８】  そのためには、巣箱を温室の外に置き、一部のミツバチが温室の中に入れるようにし、他の大部分のミツバチは自然の中で働けるようにすればよい。
【０００９】  図１は、本発明を取り付けた巣箱を温室の側面に置いたときの位置を示す略図の平面図である。
【００１０】  （１）は温室、（２）はミツバチ巣箱、（３）は本発明の本体であるミツバチの通る筒状通路である。
【００１１】  巣箱（２）の巣門（出入り口）（４）を前面とすると、巣箱は温室（１）の壁に対して９０度横向きにして、温室の壁から１０センチほど離して設置し、本発明の筒状通路（３）を巣門から横方向に取り付け、その端は温室の中に入るようにする。
【００１２】  図２は図１の正面図である。ただし、巣箱（２）は側面から見ていることになる。
【００１３】  図３は本発明（３）を巣箱に取り付けた状態を示す正面図である。本発明の右端は温室の中に、ビニールの壁に開けられた穴を抜けて入っている。
【００１４】  ミツバチが温室内に行くには、本発明の、この筒状通路の中を３０センチないし４０センチ歩かなければならないように、その長さを設定する。
【００１５】  さらに、この筒状通路は巣門に接する部分は切り欠き、巣門をふさがないようにする。
【００１６】  図４は図３の側面図である。（５）は筒状通路の切り欠き部分である。筒状通路（３）の全長は４０センチほどである。
【００１７】  ミツバチが温室の中の花蜜や花粉を採る目的を持って入って行く場合は、仕事が終わると必ず巣箱に戻ってくるが、中には、温室を越えた先にある花蜜を採るために、温室を通り抜けようとして温室に入るのがいる。これらのハチはビニールの壁や天井にさえぎられ、そのまま体力を消耗して死ぬ場合が多い。
【００１８】  それを防ぐためには、温室に入るためには一定の距離を歩かせるようにすれば、ミツバチは歩くより飛ぶほうが楽なので、温室の中に用事のないハチは巣箱を出たらすぐ空中に飛び出し、温室に迷い込むことはなくなる。
【００１９】  同じ効果を実現するために別の方法を試してみたが、うまくゆかなかった。
【００２０】  例えば、巣箱の前後に巣門を設け、後ろの巣門を温室の中に導いたが、そうすると、１日の日照の変化で温室内の温度が変わり、その度に温室内の空気の膨張、収縮で、空気が巣箱の中を通り抜けるので、巣箱内の空気を掻き乱し、幼虫を育てるのに必要な一定の温度を保つことができなくなる。
【００２１】  また、巣箱を温室内に設置してみたこともあるが、温室内の温度変化が自然界より激しいため、ミツバチは巣内の温度調整に苦労する。また温室内での農薬散布に際しては、いちいち巣箱を温室の外に出さなければならない。
【発明の効果】
【００２２】  この、巣箱の外置き方式だと、温室内でのミツバチの消耗がほとんどないので、巣箱からハチミツが収穫できるし、繁殖も期待できる。
【００２３】  給餌の必要がないので、砂糖の購入費用、砂糖水を作る手間と時間が不要になる。
【発明を実施するための最良の形態】
【００２４】  図３、図４に示すような、ミツバチが一定の歩く距離を持った筒状通路を図１、図２のように設置、取り付ける。
【図面の簡単な説明】
【図１】  本発明の設置位置を示す略図の平面図
【図２】  図１の正面図。
【図３】  図２の側面拡大図。巣箱は前面の巣門側で、本発明の巣箱への取り付け位置を示す。
【図４】  図３の側面図で、本発明である筒状通路の切り欠きの位置を示す。図２の拡大図でもある。
【符号の説明】１    温室
２    ミツバチ巣箱
３    本発明の筒状通路
４    巣門（巣箱の出入り口）
５    筒状通路の切り欠き
【図１】
2010200741.tif 000003
【図２】
2010200741.tif 000004
【図３】
2010200741.tif 000005
【図４】
2010200741.tif 000006
(57)【要約】      （修正有）【課題】糠漬け作業の煩わしさは強烈な臭い、素手に糠味噌が付いて、毎回、洗い流す事は、勿体無い、或いは、素手に糠味噌が付いて、素手がヒリヒリして痛む臭いが簡単には取れない、作業が面倒臭い糠床を末代まで残す事は非常に難しいので、簡単にしかも手を汚さずに満遍無くかき混ぜられる装置を提供する。【解決手段】糠床の撹拌は備え付けの専用手袋７を用いて行う。強烈な臭いは、吸入弁、排気弁、を換気扇に接続し外気に排出する。【効果】人間工学的に作業が楽な姿勢で行われ、手が汚れる事が無いので、気楽に作業が行われる。【選択図】図１０
2010200732.tif 000002
【特許請求の範囲】
【請求項１】
符号７の手袋状で壺の中の糠味噌等を手を汚さず、満遍、無くかき混ぜられる装置。
【発明の詳細な説明】
【発明の詳細な説明】
【技術分野】
【０００１】  本発明は従来までの糠漬け作業の煩わしさを、一挙に解決した物である。
【背景技術】
【０００２】従来、までの糠漬けは糠（麹・山椒・唐辛子・等等）を塩水と練ったものを、壺、或いは樽に貯え置いて野菜などを漬ける作業であるが、糠床を腐敗しないように風味を損なわないように、毎日糠床を素手で掻き混ぜなければ、ならない。
その際、強烈な臭いがする、素手に糠味噌が付いて、毎回、洗い流す事は、勿体無い、或いは、素手に糠味噌が付いて、素手がヒリヒリして痛む、臭いが消えにくい等、糠床を末代まで残す事は、非常に難しい。
【発明を実施するための形態】
【０００３】  本発明は、人間工学的に作業が楽な姿勢行われる。又、手が汚れる事が無いので、気楽に作業が行われる。（合成ゴム・ビニール等のアレルギーは軍手の使用）
【発明の効果】
【０００４】  このようにすれば、素手に付着した、雑菌等で、糠味噌を腐敗に導く事は無い。
又、強烈な臭いに、悩まされる事は無い。それを図面について説明すれば、図符号、  吸入弁２  排気弁３、を換気扇に接続使用で外気に排出、通常は蓋をする事で十分である。又、已む無く家を一ヶ月前後、空ける場合は糠味噌を丁寧に掻き混ぜ、（余分な水分は取り除く。）空気が入らない様に、均一におさえつけ、塩を手袋及び内側の蓋全体にぬ擦り付ける、（塩で消毒、）均一におさえつけた糠味噌の表面に塩が落ちるが少ない、糠味噌の表面全体に白くなる位、厚みが５ｍｍ〜１ｃｍ位均一に敷き詰める事により一ヶ月前後、糠味噌を腐敗に導く事は無い又、厚みが５ｍｍ〜１ｃｍ位の塩は塩分濃度が濃厚、上部のみ一旦、取り除き、後の漬物に除除に使用する事が出来る。
【図面の簡単な説明】
【図１】  正面図
【図２】  背面図
【図３】  平面図
【図４】  底面図
【図５】  正面図の中央の断面図
【図６】  正面図の中央の断面図に背面から見た手袋（ビニール・合成ゴム）の位置図の姿図。
【図７】  Ｂ−Ｂの断面図の拡大図。手袋（ビニール・合成ゴム）を着用時の姿図。吸入弁と排気弁の姿図。弁は記入してない。
【図８】  Ａ−Åの断面図（右側面図の断面図）に９（人間）及び１０（壺の台）を簡単に書いた時の作業時の姿図。
【図９】  斜視図  一般家庭の冷蔵庫等に収まる、コンパクト設計、１（かき混ぜる時の開口部）６（漬物の素材の取り入れ口及び蓋）４（５、の蓋）５（容器、或いは壺）
【図１０】  Ａ−Åの断面図（右側面図の断面図）に９（人間）及び１０（壺の台）  を簡単に書いた時の作業時の姿図。
【図１１】  図の符号−７の５本指の形の手袋の姿図。
【図１２】  図の符号−７の２本指、親指と他の４本が治まる形の手袋の姿図。
【図１３】  図の符号−７の３本指、親指と小指、左右兼用の形の手袋の姿図。
【符号の説明】  １  手でかき混ぜる時の開口部（人間の腕が元まで入る余裕がある径。）
２  吸入弁用の開口部。
３  排気弁用の開口部。
４  図の符号−５の壺の蓋
５  壺
６  漬物の素材を出し入れする所の蓋。（キャベツが丸ごと入る大きさ。）
７  手袋（合成ゴム、ビニール等、弾性に富、塩等に強く丈夫な物。）
８  図の符号−７の手袋を、図の符号−１の開口部に装着用のワッカの簡単な断面図。
９  人間
１０  糠床を末代まで伝え、臭いせず、清掃簡単な器（壺）の台。
【図１】
2010200732.tif 000003
【図２】
2010200732.tif 000004
【図３】
2010200732.tif 000005
【図４】
2010200732.tif 000006
【図５】
2010200732.tif 000007
【図６】
2010200732.tif 000008
【図７】
2010200732.tif 000009
【図８】
2010200732.tif 000010
【図９】
2010200732.tif 000011
【図１０】
2010200732.tif 000012
【図１１】
2010200732.tif 000013
【図１２】
2010200732.tif 000014
【図１３】
2010200732.tif 000015
(57)【要約】      （修正有）【課題】たい焼きや今川焼に代表される型を使った焼き菓子の製造工程上やむなくできる本体周囲の無駄な部分を商品の一部にすることができる焼菓子用鉄板を提案する。【解決手段】焼き菓子用鉄板の本体の形状をした部分３のまわりに商品をオフセットした溝４を設ける。上下両方の鉄板に同じように溝４を設ける。よって、焼き菓子の生産工程上やむえなく出てしまうバリを不規則ではなく本体の形状に沿った、バリをつくる。これにより焼き菓子本来の柔らかさとバリの香ばしさを楽しむことができる。【選択図】図３
2010200737.tif 000002
【特許請求の範囲】
【請求項１】
たい焼きや今川焼に代表される型を使った焼き菓子の製造工程上やむなくできる本体周囲の無駄な部分）を商品の一部にすることができる焼菓子用鉄板。
【発明の詳細な説明】
【発明の詳細な説明】
【技術分野】
【０００１】焼き菓子の製造工程においてできる製品本体の周りにはみ出る堅く焼きあがった部分（以下バリと呼ぶ）がきたなく不規則に残る。このバリの部分を商品の一部とするものである。
【背景技術】
【０００２】従来の鉄板は、製造工程上、焼き菓子の材料が小麦粉を溶いた液体状のものが一般的であるため上の鉄板（１）と下の鉄板（２）を合わせた場合上下の隙間から小麦粉を溶いた液体が周りに漏れて焼かれてしまう。よって、バリが見苦しく残る。焼き菓子本来の完全な形状が維持できないものである。
【発明が解決しようとする課題】
【０００３】これはつぎのような欠点があった。
このバリは商品としては必要のないものであるため食する人にとってはこの見苦しいバリをわざわざ取ることが必要になる。しかしその反面、バリは堅く焼かれているため大変香ばしく仕上る。このバリの固い部分を好んで食する人がいるのも事実である。
よって、焼き菓子の生産工程上やむえなく出てしまうバリを不規則ではなく本体の形状に沿った、バリをつくる。これにより焼き菓子本来の柔らかさとバリの香ばしさを楽しむことができる。本発明は、以上のような欠点をなくすためになされたものである。
【問題を解決するための手段】
【０００４】焼き菓子用鉄板（１）（２）の本体の形状をした部分（３）のまわりに商品をオフセットした溝（４）を設ける。上下両方の鉄板に同じように溝（４）を設ける。その後、通常の焼き菓子の工程で商品を作る。出来上がり後は、焼き菓子本体の周りに薄く固い香ばしいバリが美しく出来上がる。
【発明の効果】
【０００５】従来の焼き菓子用鉄板の製品本体の周囲を少し削る加工するだけで美しいバリが出来上がる。
【図面の簡単な説明】
【図１】  本発明の上面図である。
【図２】  本発明の断面図である。
【図３】  本発明による製品の完成図である。
【符号の説明】  （１）上の鉄板
（２）下の鉄板
（３）本体の形状をした部分
（４）商品をオフセットしてできるバリ
【図１】
2010200737.tif 000003
【図２】
2010200737.tif 000004
【図３】
2010200737.tif 000005
(57)【要約】【課題】  プレカット工場の集成材の長尺角材を構造材の桁、梁に加工するとき出る端尺を捨てることをせずに板に加工する。この板に同寸法の台形にした側面板を４枚と長方形の底板を１枚を製図し、それを切り取る。台形の側面板の下部の１部を刳り貫きしたもの４枚を立方体に組み立てて、その上部から底板を挿入する。植木鉢の特性を生かした園芸木鉢である。【解決手段】  プレカット工場の集成材の長尺角材を構造材の桁、梁に加工するとき出る端尺を捨てることをせずに板に加工する。この板に同寸法の台形にした側面板を４枚と底板を１枚を製図し、それを切り取る。台形の側面板の下部の１部を刳り貫きしたもの４枚を立方体に組み立てて、その上部から底板を挿入する。植木鉢の特性を生かした園芸木鉢である。【選択図】図１
2010200739.tif 000002
【特許請求の範囲】
【請求項１】
プレカット工場から出る集成材の長尺角材を加工した残りの端尺を板にして、それを台形にした側面板４枚と底板１枚の構成でなる、立方体の園芸木鉢。
【発明の詳細な説明】
【技術分野】
【０００１】  この発明は同じ大きさの台形の板を作り、これを組み立てて釘で止めて立方体にし、上から底板を１枚挿入して釘でとめる園芸木鉢に関するものである。
【背景技術】
【０００２】  従来、植木鉢は陶磁器、プラスチック製が殆どであり、陶磁器は角型、円錐形の深浅と素焼きのほか、色々の釉薬の塗布焼きで色鮮やかなものが多くつくられている。又、プラスチック製も多様なものがつくられている。しかし両方共高価である。
【発明の概要】
【発明が解決しようとする課題】
【０００３】  プレカット工場の集成材の長尺角材を構造材の桁、梁に加工するとき出る残りの端尺は使い道がなく、産業廃棄物である。この端尺を板にして園芸木鉢にする。陶磁器、プラスチック製は容易、安価につくることはできない。本発明は植木鉢の特性を失わずにこれらの欠点を解決するたねに発明されたものである。
【課題を解決するための手段】
【０００４】  この発明の基本的な構造を説明する。プレカット工場の集成材の角材を構造材の桁、梁に加工するときに出る端尺を捨てることをせずに板に加工する。この板に同寸法の台形にした側面板を４枚と長方形の底板を１枚を製図し、それを切り取る。台形の側面板の下部を１部刳り貫きしたものを立方体に組み立てて、その上部から底板を挿入する。植木鉢の特性を生かした園芸木鉢である。
【発明の効果】
【０００５】  したがって本発明は以下に記載されるような効果を奏する。
（イ）産業廃棄物として出る集成材の長尺角材の端尺を材料として使用するので、容易、      安価に製造することが可能である。
（ロ）側面板の寸法を変えることにより、鉢の容積を自由に変えられる。
（ハ）木製にすることにより、その縦縞模様の木質の特性を遺憾なく発揮できる。
（ニ）側面板、底板が老化、腐食で見苦しくなったときや、水漏れ、土こぼれが出たとき      は、側面板、底板の釘を外し、その箇所を新しい板と取り換えることができる。
（ホ）鉢の不注意な取り扱いで落としても、割れ、破損することはない。
【図面の簡単な説明】
【０００６】
【図１】  本発明の斜視図
【図２】  側面板の正面図
【図３】  底板の斜視図
【発明の実施するための形態】
【０００７】  以下、本発明の実施の形態について説明する。
プレカット工場で１０５と１２０ｍｍ厚の集成材の長尺角材を構造材の桁、梁に加工するとき、最初に全長から要寸法を全自動鋸で切断する。その時出る端尺は使い道なく、産業廃棄物として扱われる。この端尺を捨てることをせずに板に加工する。
（イ）２０ｍｍ厚板にテ−ブル自動帯鋸で縦切りし、表裏を自動鉋で表面を平滑にする。
（ロ）鉢の側面板（図２）を同寸法のものを４枚、底板（図３）１枚を製図する。
（ハ）製図線に沿って自動鋸（丸のこ）で側面板、底板を切り取る。切り面を小型鉋で平      滑にする。
（ニ）鉢のデザインを良くすることに加え、鉢の水抜きを良くするために、側面板の下部      （７）を自動糸鋸で製図線に沿って刳り貫く、
（ホ）鉢の水抜きを良くするために底板の中央（６）に自動ドリルで１５ｍｍ¢の穴を１      ケ所あける。
本は発明は以上のような構成で、これを組み立てる。
（イ）側面板（１）（３）と（２）（４）を対称の面とする。側面板（１）の表面両端に      側面板（２）と（４）を板の切り面の上部、下部をそれぞれ揃えて、不錆釘（ステ      ンレス製又は真鍮製）で各々３ケ所打ち固定する。
（ロ）側面板（３）を組み立ての側面板（２）と（４）の別の切り面に同様にそれぞれ揃      えて釘打ちする。
（ハ）側面板４枚で出来た立方体の上部の内側から底板（５）を挿入し、側面板の下部の      刳り貫き線（７）に合わせて、側面板４面の表面から２ケ所に釘打ちし、底板を固      定する。
本発明は以上のような構造でこれを使用するときは、不錆網（ステンレス製）を５０ｍｍ正角に切ったものを底板の上、中央に置き土を入れて園芸用の鉢として使用する。
【符号の説明】
【０００８】    １  側面板
２  側面板
３  側面板
４  側面板
５  底板
６  底板の穴
７  側面板の刳り貫き部
【図１】
2010200739.tif 000003
【図２】
2010200739.tif 000004
【図３】
2010200739.tif 000005
(57)【要約】      （修正有）【課題】冬期における農業ハウス栽培の活用は極めて低いものがあり、日本における農業生産自給率は低く農業ハウス栽培の活用を推進しなければならない。そんな意味からもハウス栽培暖房に伴う籾殻燃料活用は低コスト面からも重要視される。【解決手段】あらかじめ過熱され、且つ、回転運動している回転ドラム９内部に籾殻を投入することで、籾殻は回転ドラム５（円周板は網形状）内部のＬ型突起部の作用により上部に移動することで落下作用が生じる。籾殻はその落下作用により、雨又は雪が降っている状態を示すと同時にバーナー５で過熱された高温に触れることで着火を起こし燃焼する。【選択図】図１
2010200734.tif 000002
【特許請求の範囲】
【請求項１】
本発明は、米生産において精米過程から排出される籾殼を燃焼させる方法である。
一般的に籾殻に火をつけると、炎を出して燃焼することはありません。籾殻の形状は、物理的に燃焼箇所に酸素の供給を受けにくい状態を示すことで、炎を出して燃焼することは出来ない、したがって、燻す状態の燃焼作用である。本発明はこれらの課題を解消するのを目的に開発された方法であり、燃焼物である籾殻を雨や雪が降るような燃焼環境状態を与えることで、酸素の供給状態が良好になり、燻すのではなく良好な燃焼を行うものである。これらの作用を発生する方法は、図１に示す装置であり、あらかじめモーター１５の動力を用いて回転運動する回転ドラム９（円周板は網形状）を、化石燃料バーナー５を用いて過熱する。燃焼室上部に設けられた投入ホッパー３内部に燃料である籾殻を投入することで、過熱された回転ドラム９内部に入る。同時に籾殻は高温過熱状態に触れることで燃焼を始める、さらに、籾殻が連続的に投入され燃焼することで連続的な高温状態が生成される。なお、本発明装置燃焼室内に回転ドラム９が２台設置されているがこの設置数値は用途に応じた数を選択すれば良いのである。などの籾殻燃焼方法。
【請求項２】
図３図４は請求項１に対して化石燃料バーナー５の位置が上部に移動したものである。
この化石燃料バーナー５の設置位置では、バーナーの火力が回転ドラム９内部に直接入ることで、投入ホッパー３から入った籾殻が直接化石燃料バーナー５の火力に触れ、着火、燃焼する方法である。
【発明の詳細な説明】
【技術分野】
【０００１】本、籾殻燃焼方法は、農業ハウス栽培に伴う暖房の燃料を目的に開発された方法である。
【背景技術】
【０００２】精米過程から発生する籾殼の利用は少なくなり、現在では一部を田圃の水はけ向上に籾殻暗渠として使われています。したがって、全体的には農家に籾殼が余っているのが見られます。
この籾殻燃料利用は、その昔日本の農家ではご飯を炊いたりお風呂を沸かしたりして利用していたようです。そんな情報を農家から得ることがヒントとなり籾殻による農業ハウス暖房開発を開始した。
特許文献に付きましては、調べましたが本発明に関連した同種の文献はありませんでした。
【発明の開示】
【発明が解決しようとする課題】
【０００３】現在の農家では３００平方メートルくらいの農業用ハウスを持っています。ハウスの使用状況を調べてみますと、殆んどのハウスが使われていないのが現状です。何故、使わないのかを聞いてみますと、化石燃料代金が高いので野菜等の生産は出来ないとの事でした。したがって、農家に余っている籾殻を利用することで、農業生産コストの低いハウス暖房が可能になるのである。
次に、籾殻の燃焼はその形状の影響で酸素不足が生じ、正常な燃焼が行われない、などの課題を持っている。
【課題を解決するための手段】
【０００４】籾殻の燃焼は、燻す（酸素不足燃焼）などの特徴を持っている。本発明はこれらの課題の解消をするために開発された燃焼方法であり、あらかじめ過熱され、且つ、回転運動している回転ドラム９内部に籾殻を投入することで、籾殻は回転ドラム５（円周板は網形状）内部のＬ型突起部２０の作用により上部に移動することで落下作用が生じる。籾殻はその落下作用により、雨又は雪が降っている状態を示すと同時にバーナー５で過熱された高温に触れることで着火を起こし燃焼する。
【発明の効果】
【０００５】籾殻は各農家において余った状態にあります。したがって、籾殻暖房が行われることで、低コスト農業生産が可能になると同時に資源の有効利用からも重要視される。
【発明を実施するための最良の形態】
【０００６】本発明方法は、籾殻を連続的に燃焼させることで、発生する熱量を利用して農業ハウスの暖房を得る方法である。
装置としての機構は、図面に示す燃焼装置と籾殻燃料を連続的に送り込むスクリュウコンベヤーを有した燃料保存容器が必要となります。
【実施例】
【０００７】あらかじめ化石燃料バナー５を用いて過熱され、且つ、モーター１５の作用で回転している回転ドラム９の内部に、燃料である籾殻を投入ホッパー３を介して連続投入することで、籾殻が過熱された高温気体又は過熱された金属に触れることで着火すると同時に連続燃焼する。さらに、燃焼ガスは煙突１から放出され、灰は灰収納室１４に蓄積される。などを連続的に行う籾殻燃焼方法。
【産業上の利用可能性】
【０００８】余っている籾殻を燃料使用することで農業ハウス暖房の経費節約になると同時に資源の有効活用になる。さらに、籾殻の燃焼に伴うＣＯ２の発生はカーボンニュートラル効果によりその規制数値に加算なれないなどの効果を得ることが出来る。など利点が多く積極的な実施が見込まれる。
【図面の簡単な説明】
【０００９】
【図１】  発明装置の断面図
【図２】  発明装置の正面図
【図３】  バーナーの位置変更側面図
【図４】  バーナーの位置変更正面図
【図５】  回転ドラム断面図
【符号の説明】  １、    煙突                ２、    燃焼室ケーシング
３、    投入ホッパー        ４、    ベヤリングケース
５、    化石燃料バーナー    ６、    空気調整装置
７、    計器板              ８、    空気取り入れ管
９、    回転ドラム        １０、    支持金具
１１、    固定ナット        １２、    シャフト
１３、    灰取り出し口      １４、    灰収納室
１５、    モーター          １６、    スプロケットとチェーン
１７、    ベヤリングケース  １８、    スイッチ
１９、    アングル（支柱）  ２０、    Ｌ型突起部
【図１】
2010200734.tif 000003
【図２】
2010200734.tif 000004
【図３】
2010200734.tif 000005
【図４】
2010200734.tif 000006
【図５】
2010200734.tif 000007
(57)【要約】【課題】  山間部などで人に被害を与える動物を寄せ付けないため安全対策をしなければならない。農作物・民家の田畑の被害も防止しなければならない。農作物を荒らしにきた動物による、人への被害も後を絶たない。従来、至近距離から発射し使用する撃退スプレーや、撃退装置もあるが、危険が伴ったり撃退装置の設置が大変である課題があった。【解決手段】  本装置は６０ｃｍ×２０ｃｍ、重量約５ｋｇの金属製の箱状で、持ち運びが容易であるため、どこにでも設置が可能な動物除け装置である。ソーラーパネルで発電した電力をバッテリーに充電する回路を用いるので、電線等の配線工事が不要であり、山間部や田畑などあらゆる場所に設置ができ、近寄って来た動物に対して音と撃退スプレーによって追い払うことができる動物除け装置である。【選択図】図１
2010200735.tif 000002
【特許請求の範囲】
【請求項１】
昼夜関係なく動物が近づくと、センサーが反応して動物が嫌う音と撃退スプレーを発射し、有害動物を退ける装置。ソーラーパネルを使用して発電した電力をバッテリーに充電し、電力が不要で、持ち運びや設置も容易である。
【請求項２】
タイマーの設定で動作間隔を調整でき、撃退スプレーの動作は２〜５秒、音は１０〜３０秒の間で動作する、請求項１に記載の動物除け装置。
【請求項３】
動作チェック用の発光ダイオードが光る、請求項１に記載の動物除け装置。
【請求項４】
音声ＩＣ回路を備え、音を発生する、請求項１に記載の動物除け装置。
【発明の詳細な説明】
【技術分野】
【０００１】本考案は、農作物・人に被害を与えることを防ぐための、動物を寄せ付けない装置。
【背景技術】
【０００２】従来は音を発生する装置や撃退スプレーを人力で動物に向けて発射し、動物を寄せ付けなくするする技術がある。
【発明の開示】
【発明が解決しようとする課題】
【０００３】従来の動物撃退方法は、至近距離から撃退スプレーなどで動物を避けたり、電力が必要な装置で、持ち運びができない大きさであったり、容易に誰もが使用できるものではない問題があった。
【課題を解決するための手段】
【０００４】ソーラーパネルで発電した電力をバッテリーに充電し、山林や田畑のどこにでも持ち運ぶことができ、設置も容易である。
動物が近づくと音と撃退スプレーにより動物を寄せ付けなくする。
センサーは昼夜関係なく動作し、タイマーの設定で音波とスプレーの動作間隔を調整できる。本体は動作確認のため発光ダイオードが光る。
【発明の効果】
【０００５】持ち運びと設置が容易で、太陽光が当たる場所であればソーラーパネルにより充電ができ、動物を寄せ付けたくない場所に設置できるため、人に害を与える動物を防ぐことができる。
昼夜動物に反応し、動物を寄せ付けないよいうにすることができるようになり、田畑や山林で人が襲撃される被害を減少させることができる
【発明を実施するための最良の形態】
【０００６】ソーラーパネルは５．６Ｖ、０．５Ｗを用いる。
ソーラーパネルの取り付けは本体と一体型である。
バッテリーは６００ｍＡの容量である。
本体は６０ｃｍ×２０ｃｍの金属製の箱状のものを用いる。
本体上部はふた状にし、現地にあわせてセンサー調整をすることができる。
スプレーの残量確認のためテストスイッチがある。
【実施例】
【０００７】田畑の周囲・民家周辺に設置する。
【産業上の利用可能性】
【０００８】農家・林業・工業の敷地内・民家の周囲に設置することにより作業効率が上がったり、人が襲撃される被害を減少させることができる。
【図面の簡単な説明】
【０００９】
【図１】「本体内部」
【図２】「本体全体」
【図３】「本体側面」
【符号の説明】
【００１０】１  ソーラーパネル
２  センサー部
３  スピーカー
４  マグネットバルブ
５  バッテリー
６  スプレー
【図１】
2010200735.tif 000003
【図２】
2010200735.tif 000004
【図３】
2010200735.tif 000005
(57)【要約】【課題】  本発明は、動物や幼い子供の移動を制限するために設置する、板に重りなどを入れるポケットを設けたフェンスを提供する。【解決手段】  上部が開いた形の箱に縦から板を差し込んで下部にポケットを設けたフェンスにする。  本発明は、以上の構成よりなるポケット付きフェンスを特徴とする。【選択図】図２
2010200731.tif 000002
【特許請求の範囲】
【請求項１】
板の下部にポケットを設けたポケット付きフェンス。
【発明の詳細な説明】
【技術分野】
【０００１】  本発明は、動物や幼い子供の移動を制限するために設置する、板に重りなどを入れるポケットを設けたフェンスに関するものである。
【背景技術】
【０００２】  従来、動物や幼い子供の移動を制限するためのフェンスやケージは木材、金属、プラスチックなどの素材でできていた。
【発明の開示】
【発明が解決しようとする課題】
【０００３】  そのため次のような問題点があった。
従来、移動を制限するために設置するフェンスはフェンス自体が重く移動や設置に手間がかかり、すぐに再生資源となる素材のみで作られていなかった。
本発明は、以上のような問題点を解決するためになされたものである。
【課題を解決するための手段】
【０００４】  上部が開いた形の箱に縦から板を差し込んで下部にポケットを設けたフェンスにする。
本発明は、以上の構成よりなるポケット付きフェンスである。
【発明の効果】
【０００５】  箱や板の素材にダンボールや、ペットボトルと同じポリエチレンテレフタレートを板状に加工したものなどを使うことにより軽量になり移動や設置も楽になり安価で製品化できる。ポケットに重りを入れることができるので倒れたり設置場所から動いたりしてしまうことも防げる。さらにペットボトルに水などの液体や砂を入れたものを重りとしてポケットに入れることもできる構造なので重りは簡単に入手できる。材料や重りに再生資源を使用することは環境にも良い。複数のフェンスをくくりつけて囲う形にもできる構造なのでケージとしても使用できる。
【発明を実施するための最良の形態】
【０００６】  以下、本発明を実施するための最良の形態について説明する。
図１にあるダンボールなどの軽い素材でできた中に２個の大きな穴の開いた八の字の板で縁に小さい穴が１２個開いたもの（１）にポリエチレンテレフタレートなどの透明なプラスチックの板（２）を挟み込んだものを上部が開いた形のダンボールなどの箱（３）に縦から差し込んで図２の（５）のように下部にポケットを設けたフェンスにする。箱は図１の（４）のようにはみ出た部分を中に折りこんでおく。本発明は以上のような構造である。
これを使用するときは、図２の（６）のように水や砂などの入ったペットボトルなどをポケットに入れて重りにする。図２の（５）のように複数のフェンスをつなげて、囲めばケージなどにできるがその場合図２の（７）のように紐やマジックテープ付きのバンドを板の側面の小さな穴に通してくくりつける。片側の紐を外せば扉のように開閉できる。通気性をよくしたい場合は図３のようにダンボールなどを棒状に加工し両先に切り込みを入れたもの（９）数本を図１の（１）に切り込みが入った形の（８）にはめ込んで格子状にして図１の箱（４）に差し込み（１０）のようにする。図４の（１１）のように板の素材をダンボールのみにすれば紙なので自分で板に絵や模様を描くことができる。板と箱の素材をポリエチレンテレフタレートなどのプラスチックの板のみにすれば防水性があるので雨水などがかかる屋外でも使用できる。
【図面の簡単な説明】
【０００７】
【図１】  本発明の各部品斜視図
【図２】  本発明の組み立て完成品斜視図
【図３】  本発明の格子状パターン部品と組み立て完成品斜視図
【図４】  本発明の単一素材パターン組み立て完成品斜視図
【符号の説明】
【０００８】  （１）板の枠部品  （２）透明板  （３）箱部品  （４）箱部品折りこみ後
（５）フェンス組み立て完成品（６）重り用ペットボトル（７）紐
（８）格子状パターンの板の枠部品（９）棒状部品
（１０）格子状パターン組み立て完成品
（１１）単一素材パターン組み立て完成品
【図１】
2010200731.tif 000003
【図２】
2010200731.tif 000004
【図３】
2010200731.tif 000005
【図４】
2010200731.tif 000006
(57)【要約】      （修正有）【課題】食物をじゃこてんである鮮魚のすり身で包み、これを食用油で揚げることにより一体化させた食品を提供する。【解決手段】白米、玄米、ひえ、粟等の穀類を使ったおむすび、又はコロッケ、餅、チーズ、じゃこてん、肉、野菜、またはこれらの混合であるおむすび１等の食物を、えそ、鯛、鰺、太刀魚、イカ等の鮮魚をまるのまますり潰し、これに調味料として砂糖、味醂、塩などを加えて得られるじゃこてん２で包み、これを食用油の中で揚げる。【選択図】図１
2010200646.tif 000002
【特許請求の範囲】
【請求項１】
食物をじゃこてんで包んで食用油で揚げた食品
【請求項２】
前記食物は白米、玄米、ひえ、粟等の穀類を使ったおむすび、又はコロッケ、餅、チーズ、じゃこてん、肉、野菜であること、またはこれらの混合であることを特徴とした請求項１記載の食品 
【請求項３】
前期じゃこてんはえそ、鯛、鰺、太刀魚、イカ等の鮮魚を主成分としたもので、これに砂糖、味醂、塩等の調味料を加えたものであることを特徴とする請求項１乃至２記載の食品
【請求項４】
前期食用油で揚げる油温は１４０℃から２００℃である事を特徴とする請求項１乃至３記載の食品
【発明の詳細な説明】
【技術分野】
【０００１】
じゃこてんで食物を包み込んだ食品に関する技術分野である。          
【背景技術】
【０００２】
従来、じゃこてんで食物を包み込んだ食品は無く、それぞれが単独で存在した食品であった。
【発明の概要】
【発明が解決しようとする課題】
【０００３】
それぞれが独立した食品である為、食物の味とじゃこてんが持つ風味とが一体化した味とならず一度でこの両方を味わうことができなかった。
【課題を解決するための手段】
【０００４】
食物をじゃこてんである鮮魚のすり身で包み、これを食用油で揚げることにより一体化して解決した。食物とは以下に例を示す。
おむすび（白米、玄米、ひえ、粟などの穀類）、コロッケ、餅、チーズ、じゃこてん、肉、野菜、などであり、またはこれらの混合したものでもある。
【発明の効果】
【０００５】
これにより一体化するので一度に食物とじゃこてんの両方の味を味わえるようになった。
【図面の簡単な説明】
【０００６】
【図１】本発明の外観図である。
【図２】本発明は食物を含んだじゃこてん部分の断面図である。
【実施例】
【０００７】
以下のようにして発明した。
食物1はおむすび（白米、玄米、ひえ、粟など）、コロッケ、餅、チーズ、じゃこてん、肉、野菜、などである。
じゃこてん2は、天然の鮮魚をまるのまますり潰したものであって、これに調味料として砂糖、味醂、塩などを加えたものである。鮮魚はえそ、鯛、鰺、太刀魚、イカ、などであって季節によって変化するのは当然である。
食物1をじゃこてん2で包み、これを食用油の中で揚げたものが本発明品である。この油温は１４０℃から２００℃の範囲で揚げるのがよい。
【符号の説明】
【０００８】
１はおむすび
２はじゃこてん
【図１】
2010200646.tif 000003
【図２】
2010200646.tif 000004
(57)【要約】【課題】  通常の炊飯器でも芯まで柔らかく炊くことができ、かつ煩瑣な工程を経ないで美味しくて栄養価の高い玄米の炊飯方法提供する。【解決手段】  長径１〜３ミリ、短径０．５〜２ミリの大きさに粗挽きした玄米に水を加えて、炊飯器又は電子レンジにて炊飯する玄米の炊飯方法。この炊飯方法によるときは、玄米には何も加えないし、玄米から一切の栄養物の損失も無い、健康・栄養食品である。  この炊飯方法によって炊飯された玄米ご飯は、事前に表皮を削ったり、一部損傷を加えることもなく、又膨潤、膨化等の工程を一切必要とせずに、美味しくて、柔らかく、しかも栄養価に富んだ玄米ご飯が簡単に得られる。この玄米めしは美味しいので、飽きが来ないので、長期期間常食できる。【選択図】なし【特許請求の範囲】
【請求項１】
長径１〜３ミリ、短径０．５〜２ミリの大きさに粗挽きした玄米に水を加えて炊飯することを特徴とする芯まで柔らかい玄米の炊飯方法。
【請求項２】
長径１〜３ミリ、短径０．５〜２ミリの大きさに粗挽きした玄米に水を加え、電子レンジにかけて炊飯することを特徴とする芯まで柔らかい玄米の炊飯方法。
【発明の詳細な説明】
【技術分野】
【０００１】
本発明は、玄米の美味しい炊飯方法に関するものである。
【背景技術】
【０００２】
玄米は、糖、蛋白及び油分以外に、ビタミン、鉄分、カルシウム、ミネラル分、食物繊維等の種々の栄養素が数多く含まれており、これだけで人が必要とする栄養素の殆どが充足され、優れた健康・栄養食品の一種として注目され、その喫食が推奨されている。
しかしながら、玄米表面には、固くて、酸やアルカリにも侵されない強い表皮が存在し、そのまま炊飯しても美味しいご飯とならず、又消化性も劣る。そのため、玄米食を試みるが長続きせず、結局喫食されなくなるというのが実状である。
そこで、この玄米を喫食しやすくするために、玄米を一部加工処理したり、粉末化して他の食品と混和・加工食品として、或はジュースなどと混合して栄養ドリンクとして摂取するなどの試みが数多く為されているが、何れも満足して玄米を常用飲食するところには至っていない。  
【０００３】
例えば、玄米をそのまま浸漬、発芽させ、製品化する発芽玄米として喫食する方法、玄米の最外層表面だけを研磨除去し、９７質量％〜９９質量％に搗精して栄養分を極力残し、かつ炊飯時の食感を良好にする方法（特開２００１−３５２９１６）、或は、表面の一部に傷を与えた後、炊飯する緑色玄米の炊飯加工方法（特開２００８−２６４６１０）、更には、玄米の重量に対して１．０〜２．０倍の水を添加したものを炊飯器に入れ、加熱して沸騰させ、沸騰したら加熱を止めて玄米の品温が５０℃以下になるまで静置して含水・膨潤させ、膨潤化玄米を製造する方法（特開２００８−９９５７９）、玄米を粉砕機にかけて粉砕し、これを１８０℃位に加熱して玄米粉とする方法（特開２００５−３４１４７）などがある。
【先行技術文献】
【特許文献】
【０００４】
【特許文献１】特開２００１−３５２９１６号公報
【特許文献２】特開２００４−１６１０６号公報
【特許文献３】特開２００８−２６４６１０号公報
【特許文献４】特開２００８−９９５７９号公報
【特許文献５】特開２００５−３４１４７号公報
【発明の概要】
【発明が解決しようとする課題】
【０００５】
解決しようとする問題点は、家庭でもできる、美味しく、飽きが来ない、芯まで柔らかい玄米の炊飯方法がない点である。
【課題を解決するための手段】
【０００６】
本発明は、玄米を粗擂潰機にかけて、粗挽きしたものを炊飯することを特徴とすることを最も主要な特徴とする芯まで柔らかい玄米の炊飯方法である。
即ち、本発明は、玄米を粗擂潰機にかけて、粗挽きし、炊飯することを特徴とする芯まで柔らかい玄米の炊飯方法である。
【発明の効果】
【０００７】
本発明の炊飯方法によって炊飯された玄米ご飯は、美味しく且つ芯まで柔らかくて飽きが来ない、その上、栄養面の損失も一切無い玄米食を提供する。本発明の炊飯方法によるときは、事前に表皮を削ったり、一部損傷を加えることもなく、又膨潤、膨化等の工程を一切必要とせずに、美味しくて、柔らかく、しかも栄養価に富んだ玄米ご飯が簡単に得られる。この玄米めしは美味しいので、飽きが来ないので、長期の期間常食できる。
【発明を実施するための形態】
【０００８】
本発明を実施するに当たって、玄米を粗挽きするために使用される粗擂潰機は、食品や医薬品製造に用いられる通常のハンマー型或はローター型粗擂潰機である。
一〜二人用程度の量であれば、家庭用コーヒーミルが手軽に使用できる。
粗挽きの程度は、凡そ長径１〜３ミリ、短径０．５〜２ミリの大きさに粗挽きしたものが食感、味とも良好である。これより細かくなると炊飯したとき、もちもちして食感が落ちる。
【０００９】
かくして得た粗挽き玄米に水を加え、炊飯する。使用する水の量は、粗挽き玄米１に対し２〜２．４倍量(重量)、白米の炊飯と同様に炊飯器にかけても良いし、電子レンジにかけてもよい。又、電子レンジでの炊飯時間は、玄米１００ｇ程度の場合、７〜１０分である。
この粗挽き玄米を白米と混合して炊飯することも本発明の一つの実施の態様である。混合比率は好みに応じ適宜で良い。
【００１０】
即ち、本発明は、玄米を粗擂潰機にかけて、粗挽きし、これに水を加えて炊飯することを特徴とする玄米の炊飯方法である。又、長径１〜３ミリ、短径０．５〜２ミリの大きさに粗挽きした玄米に水を加えて、炊飯することを特徴とする玄米の炊飯方法である。更には、長径１〜３ミリ、短径０．５〜２ミリの大きさに粗挽きした玄米に水を加え、電子レンジにかけて炊飯することを特徴とする玄米の炊飯方法である。
以下実施例を用いて本発明を更に具体的に説明するが、本発明はこれに限定されるものではない。
【実施例１】
【００１１】
玄米１００ｇをカリタ製家庭用コーヒーミル（Kalita）を用いて手動にて粗挽きした玄米１００ｇ（平均長粒径３ｍｍ）に２００ｇの水を加え耐熱容器に入れ、電子レンジで７分加熱した。５分間蒸らしをした後喫食した玄米ご飯はおいしく、芯まで柔らかであった。
同様にして炊飯した玄米ご飯を１ヶ月間毎日食したが、飽きは全く来なかった。
【実施例２】
【００１２】
実施例１と同様にして粗挽きした玄米に２倍量の水を加え、家庭用電気炊飯器にかけて炊飯した。炊き上げた玄米ご飯は、白米に比肩する美味しさであり、芯まで柔らかであるので、食感も白米ご飯に劣るものではなかった。
(57)【要約】【課題】車の屋根部を上下可能なキャンピングカーなどの多目的な車において、屋根部を上げて使用する時に著しく邪魔になる荷物を確実に収納するスペースを確保する保管庫を極めて簡易な構成で形成させて使い勝手を良好にすることを課題としている。【解決手段】車の内側の車本体上周辺の任意の位置に棚を設け、車の屋根部を上げると同時に、この棚手前周辺部分と屋根部の適切な位置に固定されたシートが立ち上がる構成にすることによつて中身が見えず、荷物が落下することのなく確実に収納可能な荷物収納庫を設ける手段を採用した。【選択図】図１
2010195121.tif 000002
【特許請求の範囲】
【請求項１】
屋根部が上下可能で屋根部が上がった時に開口部をシートで覆う構成の車において、車の内側天井周辺部付近の車本体１側の任意の位置に棚４を設置し、車の屋根部を上げた時に当該棚４の上に荷物を収納可能にすることを特徴とする車用荷物収納庫の設置構造。  
【請求項２】
屋根部が上下可能で屋根部が上がった時に開口部をシートで覆う構成の車において、車の内側天井周辺部付近の車本体１側の任意の位置に棚４を設置し、車の屋根部を上げた時に、当該棚４の車内側端周辺部と屋根部の所定位置に固定された畳んだ柔軟な布製などのシートが垂直方向に展開しながら上がって、開閉可能な仕切り壁５を形成して箱状の収納庫を形成することを特徴とする車用荷物収納庫の設置構造。
【発明の詳細な説明】
【技術分野】
【０００１】
本発明は、屋根部を上下可能な多目的の車において、荷物を収納する保管庫を設置する新規の構造に関するものである。
【背景技術】
【０００２】
現状の市場においては、キャンピングカーに代表される多目的の車が製造販売されているが、概して大きくて車高が高く重量が重いことから、燃費や車体耐久性が著しく悪いことや車高が高すぎて車庫に入らないなどの大きな問題があるために、省資源が強く要求される最近の市場から締め出されてる傾向が強まっているが、この対策として例えば特許文献1に示す屋根部を上下可能にし、屋根部が上昇した時の開口部をシートで覆う構成の車が提案されており、通常の使用時には屋根部を下げて使用することから一般の車と全く同様に通勤や買い物などに低燃費で使用でき、キャンプなどに必要とする時だけに屋根部を上げて調理や就寝などを容易に可能にする構成にすることによって従来の欠点が著しく改善されたが、実際にキャンプなどで屋根を上げて使用する場合においては、概して調理器具や寝袋や水などの荷物が多くなることから整理整頓が難しい上に車の後部に調理場などを設置させる場合などにおいて荷物が邪魔で設置できない問題があり、また荷物が剥き出しのままでは荷崩れや見栄えも悪いなどの問題もあった。
【特許文献１】特許願２００３−１６２９７５号公報
【発明の開示】
【発明が解決しようとする課題】
【０００３】
本発明においては、車の屋根部を上下可能なキャンピングカーなどの車において、屋根部を上げて使用する時に著しく邪魔になる荷物を確実に、見栄え良く収納するスペースを確保する保管庫を極めて簡易な構成で形成させて車の使い勝手を著しく良好にすることを課題としている。
【課題を解決するための手段】
【０００４】
前記課題を解決するために、本発明においては、車の内側の車本体上周の比較的邪魔にならない任意の位置に棚を設け、車の屋根部を上げると同時に、必要により、この棚板手前部分と屋根部の適切な位置に固定されたシートが垂直方向に立ち上がる構成にすることによつて棚の上に乗せた荷物が落下することなく確実に収納可能な荷物収納庫を設ける手段を採用した。
【発明の効果】
【０００５】
本発明の方法を採用することによって、屋根部の上下可能なキャンピングカーなどの車において、屋根部を上げた状態での実際のキャンプなどでの使用時に著しく邪魔になる荷物を容易に確実に収納可能となるスペースを確保したことから車内を広く、見栄えよく、より多目的な使用を容易にするなど著しく使い勝手が良好になるなどの効果を奏する。
【発明を実施するための最良の形態】
【０００６】
図１は、本発明における一実施形態の概略の屋根部が上がった時の構成を示す側面図であるが、車本体1から屋根部2が離れて上昇し、開口部を防水性のシート3で覆う構成の車において、車本体１の前方に棚4が設けられており、当該棚４の車内側周辺部と屋根部２の所定位置に布製などのフレキシブルなシートを固定した開閉可能な仕切り壁5が屋根部が上昇すると同時に自動的に展開して形成され、箱状の荷物収納庫6が設置される構造となっている。
【０００７】
図2は、図1のA方向から見た正面図であるが仕切り壁5には両側端部から下端部の周に沿ってファスナー７が設けられており、荷物を収納する際には、ファスナー７を開いて仕切り壁５を手で上に上げて棚の上に荷物を入れ、収納後にファスナーを閉めることによって簡単に荷物が落ちることもなく確実に見栄え良く荷物を収納可能とする構造となっている。
【０００８】
本発明における棚４の位置は、前記の実施例の車の前部付近に限定されるものではなく、例えば車の左右の側面或いは後部の邪魔にならない適当な位置でもよく、またファスナー７に限定されず、例えば面ファスナーなどを使用する方法やフォックやボタンなどを使用して固定する方法を採用しても差し支えなく、また仕切り壁５を設けない構成も本発明の範囲内にある。
【図面の簡単な説明】
【０００９】
【図１】本発明に係る一実施形態を示す側面図である。
【図２】図1における車の内側のA方向から見た正面図である。
【符号の説明】
【００１０】
１  車本体                                ２  屋根部
３  シート                                ４  棚
５  仕切り壁                              ６  荷物収納庫
７  ファスナー        
【図１】
2010195121.tif 000003
【図２】
2010195121.tif 000004
(57)【要約】      （修正有）【課題】軽トラックの荷台からあおりの上端までの積載容積を侵食しない軽トラック用手動式クレーンを提供する。【解決手段】あおり１０の上端より上方に位置する鳥居１に取り付けた縦回転軸３と、前記縦回転軸３の上端部に第１横回転軸４で取り付けたブーム６と、基端部を前記縦回転軸３の下端部に第２横回転軸５で取り付け、先端部を複数の第３横回転軸８，９でブーム６に着脱可能に取り付けたサポート７とより構成したことを特徴とする軽トラック用手動式クレーン。【選択図】図１
2010195581.tif 000002
【特許請求の範囲】
【請求項１】
あおりの上端より上方に位置する鳥居に取り付けた縦回転軸と、前記縦回転軸の上端部に第１横回転軸で取り付けたブームと、基端部を前記縦回転軸の下端部に第２横回転軸で取り付け、先端部を複数の第３横回転軸でブームに着脱可能に取り付けたサポートより構成したことを特徴とする軽トラック用手動式クレーン。
【発明の詳細な説明】
【発明の詳細な説明】
【技術分野】
【０００１】本発明は、軽トラックの鳥居に取り付け、取り外しが可能で、荷物の積み下ろし作業を行える軽トラック用手動式クレーンに関する。
【背景技術】
【０００２】従来、軽トラックにおいて、荷物の積み下ろし作業を行うため、取り付けが容易な簡易型クレーンがある。
このような簡易型クレーンは、前記軽トラックの荷台内の前部に設置され、前記軽トラックの鳥居あるいは運転室の後方に配される壁に直接固定する固定手段を備えたベース部と、前記ベース部に設けられ、鉛直軸周りに旋回可能な軸体と、前記軸体の上端に設けられ、前記軸体の先端を中心に上下方向に回動可能なブームと、前記ブームの略中間部と前記軸体の略中間部に架設されたサポートとを備える。
前記軸体は、前記ベース部に下端と略中間部を鉛直軸周りに旋回可能に取り付けされ、高さが任意の位置で設定可能な高さ調節手段を備えている（特許文献１参照）。
【特許文献１】  特開平２００８−２７３７３６
【０００３】
【発明の開示】
【発明が解決しようとする課題】
【０００４】しかしながら、前記簡易型クレーンのベース部は、軽トラックの荷台内に設置されている為に、前記軽トラックの荷台からあおりの高さまでの積載容積を侵食している。
【課題を解決するための手段】
【０００５】本考案に係わる軽トラック用手動式クレーンは、上記課題を解決するためになされたもので、あおりの上端より上方に位置する鳥居に取り付けた縦回転軸と、前記縦回転軸の上端部に第一横回転軸で取り付けたブームと、基端部を前記縦回転軸の下端部に第二横回転軸で取り付け、先端部を複数の第三横回転軸でブームに着脱可能に取り付けたサポートとより構成したことを特徴とするものである。
【発明の効果】
【０００６】本発明によれば、軽トラック用手動式クレーンをあおりの上端より上方に位置する鳥居に取り付けたことにより、荷台からあおりの上端までの積載容量を侵食することがなくなった。
【発明を実施するための最良の形態】
【０００７】次に、本発明の実施の形態を実施例によって図面を参照しながら説明する。
まず、軽トラック用手動式クレーンの構成について説明する。
図１に示すように、軽トラック用手動式クレーンは、あおり１０より上方に設置されている鳥居１に軸受け２で取り付けた縦回転軸３と、前記縦回転軸３の上端部に第１横回転軸４で取り付けたブーム６と、基端部を前記縦回転軸３の下端部に第２横回転軸５で取り付け、先端部を複数の第３横回転軸８，９でブームに着脱可能に取り付けるサポート７より構成される。【０００８】次に、軽トラック用手動式クレーンの使用方法について説明する。
図２に示すように、第３横回転軸８に取り付けたサポート７を第３横回転軸９に取り付け、前記ブーム６を荷台１１の外側に旋回させる。前記ブーム６の先端部のフック１２にチェーンブロックなどの吊り上げ機械１３を取り付けて荷物などを吊り上げ、前記ブーム６を前記荷台１１の内側に旋回させて荷台に吊り下ろす。【０００９】これにより、荷台からあおりの上端までの積載容積が侵食されなくなった。
【図面の簡単な説明】
【００１０】
【図１】  実施例の軽トラック用手動式クレーンの斜視図。
【図２】  実施例の軽トラック用手動式クレーンの使用状態を示す斜視図。
【符号の説明】
【００１１】１      鳥居
２      軸受け
３      縦回転軸
４      第１横回転軸
５      第２横回転軸
６      ブーム
７      サポート
８      第３横回転軸
９      第３横回転軸
１０    あおり
１１    荷台
１２    フック
１３    吊り上げ機械
【図１】
2010195581.tif 000003
【図２】
2010195581.tif 000004